(57)【要約】      （修正有）【課題】使用時にスマートフォンを縦または横置きにでき、非使用時にスマートフォンの縦横長さよりも小さくフラットであるスマートフォン用スタンドを提供する。【解決手段】長方形のシート基材１０に、コの字状で底辺が長方形の短辺方向と平行であり、コの字の両先端が長方形前方の短辺に向く第１、２、３の切り込み１１〜１３を、長方形の長辺方向に長方形の前方の短辺から他方の短辺に向かって順に備える。さらに、第１、２、３の切り込みに囲まれたシート基材にそれぞれ形成された第１、２、３の舌片２１〜２３と、第１、２の切り込みの突端間の第１、２の舌片のそれぞれ下部に、長方形短辺と平行な第１、２折り線３１、３２と、第２の舌片以外のシート基材に、長方形長辺の長さの１／２の位置より前方側に、長方形短辺と平行な第３折り線３３と、第２の舌片の後方側に、組み立て時に第３の舌片と係合する一以上のスリット４０と、を備える。【選択図】図１
0003230868.tif 000002
【実用新案登録請求の範囲】
【請求項１】
携行時・不使用時は、長方形の平坦なシート状であり、使用時に組みたてるスマートフォン用スタンドであって、
前記長方形のシート基材に、コの字状でそのコの字の底辺が前記長方形の前方の短辺方向と平行でありまたそのコの字の両先端が前記長方形前方の短辺に向く第１、２、３の切り込みを、前記長方形の長辺方向に前記長方形の前方の短辺から前記長方形の後方の短辺に向かって順に備え、さらに、
前記第１、２、３の切り込みに囲まれたシート基材にそれぞれ形成された第１、２、３の舌片と、
前記第１、２の切り込みの突端間に、前記長方形短辺と平行な第１、２折り線と、
前記長方形のシート基材で前記第２の舌片以外のシート基材に、前記長方形長辺の長さの１／２の位置より前方側に、前記長方形短辺と平行な第３折り線と、
前記第２の舌片の後方側に、組み立て時に第３の舌片と係合する、前記長方形の短辺方向と平行である長辺を持つ一以上のスリットと、
を備え、
使用時に、第３折り線から、前記長方形のシート基材を前方に折り曲げ、前記第２の舌片が、前記第３の切り込みに挿入され、前記第２の舌片のスリットに、前記第３の舌片が係合され、前記第２の舌片の面は傾斜し、前記第３折り線から折り曲げられた前記長方形のシート基材面の折り曲げ角度が、直角か鋭角になり、
前記第３折り線から折り曲げられた前記長方形のシート基材面の先端がスマートフォンの背面支え部となり、
前記第１の舌片が、前記第１の折り線から前方に曲げ立ち、スマートフォンの前面端部支え部となる
ことを特徴とするスマートフォン用スタンド。
【考案の詳細な説明】
【技術分野】
【０００１】
本考案は折り畳み可能なスマートフォン用スタンドに関するものである。
【背景技術】
【０００２】
従来、スマートフォンを机の上に置いて使用するため、スマートフォンを立てかけるか固定する、紙あるいはプラスチック製のスタンドがあった。
【０００３】
このようなスタンドとして、方形状の枠体の中央にコの字状の切り込みを設け、全切り込みの内側に形成された舌片状の押さえ部を有するものがある（特許文献１参照）。
【０００４】
このスタンドはスマートフォンを横置きで固定する場合、スマートフォンの横の長さより小さな横辺の方形大きさで作成可能であるが、スマートフォンを縦置きで固定する場合、縦置きとする従来、スマートフォンの縦の長さより大きな縦辺の大きさの方形大きさになってしまう。
【０００５】
外出先でスマートフォンを縦置きで使用しても、非使用時にはスマートフォンの縦横長さで決まる大きさよりも小さく、しかもフラットであることが好ましい。
【先行技術文献】
【特許文献】
【０００６】
【特許文献１】実用新案登録第３１８４８６６号公報
【考案の概要】
【考案が解決しようとする課題】
【０００７】
使用時に、スマートフォンを縦あるいは横置きにでき、非使用時にはスマートフォンの縦横長さで決まる大きさよりも小さくフラットであるスマートフォン用スタンドを提供することを目的とする。
【課題を解決するための手段】
【０００８】
本考案は上記課題を解決するためになされたもので、本考案の請求項１に係る考案は、携行時・不使用時は、長方形の平坦なシート状であり、使用時に組みたてるスマートフォン用スタンドであって、前記長方形のシート基材に、コの字状でそのコの字の底辺が前記長方形の短辺方向と平行でありまたそのコの字の両先端が前記長方形前方の短辺に向く第１、２、３の切り込みを、前記長方形の長辺方向に前記長方形の前方の短辺から前記長方形の他方の短辺に向かって順に備え、さらに、前記第１、２、３の切り込みに囲まれたシート基材にそれぞれ形成された第１、２、３の舌片と、前記第１、２の切り込みの突端間の前記第１、２の舌片のそれぞれ下部に、前記長方形短辺と平行な第１、２折り線と、前記長方形のシート基材で前記第２の舌片以外のシート基材に、前記長方形長辺の長さの１／２の位置より前方側に、前記長方形短辺と平行な第３折り線と、前記第２の舌片の後方側に、組み立て時に第３の舌片と係合する、前記長方形の短辺方向と平行である長辺を持つ一以上のスリットと、を備え、使用時に、第３折り線から、前記長方形のシート基材を前方に折り曲げ、前記第２の舌片が、前記第３の切り込みに挿入され、前記第２の舌片のスリットに、前記第３の舌片が係合され、前記第２の舌片の面は傾斜し、前記第３折り線から折り曲げられた前記長方形のシート基材面の折り曲げ角度が、直角か鋭角になり、前記第３折り線から折り曲げられた前記長方形のシート基材面の先端がスマートフォンの背面支え部となり、前記第１の舌片が、前記第１の折り線から前方に曲げ立ち、スマートフォンの前面端部支え部となることを特徴とするスマートフォン用スタンドである。
【考案の効果】
【０００９】
使用時に、スマートフォンを縦あるいは横置きにでき、非使用時にはスマートフォンの縦横長さで決まる大きさよりも小さくフラットであるスマートフォン用スタンドを提供することが可能となった。
【図面の簡単な説明】
【００１０】
【図１】本考案の実施形態における未使用時のスマートフォン用スタンドの模式的平面図である。
【図２】本考案の実施形態における使用時のスマートフォン用スタンドの模式的説明図である。図２（ａ）は斜視図であり、図２（ｂ）は側面図である。
【図３】本考案の実施形態の１例の図２のスマートフォン用スタンドに、スマートフォンを立てかけた時の状態を示す模式的説明図である。図３（ａ）は斜視図であり、図３（ｂ）は側面図である。
【考案を実施するための形態】
【００１１】
本考案の配線基板のスマートフォン用スタンドの実施形態を添付図面を参照して説明する。図１は本考案の実施形態における未使用時のスマートフォン用スタンドの模式的平面図である。
【００１２】
本考案のスマートフォン用スタンド１００は、前記長方形のシート基材１０に、コの字状でそのコの字の底辺が前記長方形の前方Ｈｚの短辺６０方向と平行でありまたそのコの字の両先端が前記長方形前方Ｈｚの短辺６０に向く第１、２、３の切り込み１１、１２、１３を、前記長方形の長辺５０方向に前記長方形の前方Ｈｚの短辺６０から前記長方形の後方Ｈｋの短辺に向かって順に備え、さらに、第１、２、３の切り込み１１、１２、１３に囲まれたシート基材１０にそれぞれ形成された第１、２、３の舌片２１、２２、２３と、第１、２の切り込み１１、１２の突端間に、前記長方形の前方Ｈｚの短辺６０と平行な第１、２折り線３１、３２と、前記長方形のシート基材１０で第２の舌片２２以外のシート基材１０に、前記長方形長辺５０の長さの１／２の位置より前方Ｈｚ側に、前記長方形短辺６０と平行な第３折り線３３と、第２の舌片２２の後方Ｈｋ側に、組み立て時に第３の舌片２３と係合する、前記長方形の短辺６０方向と平行である長辺を持つ一以上のスリット４０とを備えている。
【００１３】
図１では、スリット４０が３つある場合を想定した。
【００１４】
第１、２、３折り線３１、３２、３３のシート基材１０の裏面側では、折り線に沿って、削られており、第１、２、３折り線３１、３２、３３において、シート基材１０の表面側に折りやすくなっているのが好ましい。
【００１５】
また、スリット４０は、角において直角ではなく、角を丸めていてもよい。
【００１６】
また、同様に、切り込み１１、１２、１３、第１、２、３の舌片２１、２２、２３は、角において直角ではなく、角を丸めていてもよい。
【００１７】
図２は、本考案の実施形態における使用時のスマートフォン用スタンドの模式的説明図であり、図２（ａ）は模式的斜視図であり、図２（ｂ）は模式的側面図である。図３は図２のスマートフォン用スタンドに、スマートフォンを立てかけた時の状態を示す模式的説明図であり、図３（ａ）は斜視図であり、図３（ｂ）は側面図である。
【００１８】
使用時に、第３折り線３３から、前記長方形のシート基材１０を前方Ｈｚに折り曲げ、
第２の舌片２２が、第３の切り込み１３に挿入され、第２の舌片２２のスリット４０に、第３の舌片１３が係合され、第２の舌片２２の面は傾斜し、第３折り線３３から折り曲げられた前記長方形のシート基材１０面の折り曲げ角度θが、直角か鋭角になり、第３折り線３３から折り曲げられた前記長方形のシート基材１０面の先端７０がスマートフォンの背面支え部となり、前記第１の舌片が、第１の折り線３１から前方に曲げ立ち、スマートフォンＳの前面端部支え部となる。
【００１９】
第３の舌片１３が係合する、第２の舌片２２のスリット４０の位置によって、第２の舌片２２の面は傾斜角度が変り、第３折り線３３から折り曲げられた前記長方形のシート基材１０面の折り曲げ角度θも変わる。スマートフォンによって、適する折り曲げ角度θにし、第３折り線３３から折り曲げられた前記長方形のシート基材１０面の先端７０がスマートフォンＳの背面を支え、また、第１の舌片２１が、第１の折り線３１から前方に曲げ立ち、スマートフォンＳの前面端部を支えることによって、スマートフォンＳの縦置きが可能となる。もちろん横置きも可能である。
【００２０】
非使用時には、第２の舌片２２のスリット４０から第３の舌片１３の係合を解き、第３折り線３３から折り曲げられた前記長方形のシート基材１０面の折り曲げ角度θを０度にし、また、第１の折り線３１から前方に曲げ立っていた第１の舌片２１を、曲げ立ちを解消することによって、スマートフォン用スタンド１００をフラットに戻すことが簡易にできる。
【００２１】
使用時に、スマートフォンを縦あるいは横置きにでき、非使用時にはスマートフォンの縦横長さで決まる大きさよりも小さくフラットであるスマートフォン用スタンドを提供することが可能となった。スマートフォンとスマートフォン用スタンドを重ねて携行することができる。
【符号の説明】
【００２２】
１０・・・シート基材
１１・・・第１の切り込み
１２・・・第２の切り込み
１３・・・第３の切り込み
２１・・・第１の舌片
２２・・・第２の舌片
２３・・・第３の舌片
３１・・・第１折り線
３２・・・第２折り線
３３・・・第３折り線
４０・・・スリット
５０・・・長辺
６０・・・前方の短辺
７０・・・シート基材面の先端
１００・・・スマートフォン用スタンド
Ｈｚ・・・前方
Ｈｋ・・・後方
Ａ・・・長辺の長さの１／２の位置
θ・・・第３折り線から折り曲げられた長方形のシート基材面の折り曲げ角度
Ｓ・・・スマートフォン
【図１】
0003230868.tif 000003
【図２】
0003230868.tif 000004
【図３】
0003230868.tif 000005